(57)【要約】      （修正有）【課題】筒状胴部の上端開口部と上蓋との結合力が強く、充分な強度を有しており、容器に内圧がかかっても、筒状胴部の上端開口部と上蓋の融着部分が非常に外れにくい、容器を提供する。【解決手段】容器の筒状胴部が、アルミニウム箔等のバリア層１０と、バリア層１０の内外両側のうち少なくとも一方に設けられた強化樹脂層１３と、シーラント層１４とを備えており、筒状胴部の上端開口部に嵌め合わせられた樹脂製上蓋の外周縁部が、筒状胴部の上端開口部に、シーラント層１４による熱融着により接合されている。【選択図】図３
2015174690.tif 000002
【特許請求の範囲】
【請求項１】
筒状胴部および筒状胴部の上端開口部に取り付けられる樹脂製上蓋を備えている容器であって、筒状胴部が、バリア層と、バリア層の内外両側のうち少なくとも一方に設けられた強化樹脂層と、シーラント層とを備えており、筒状胴部の上端開口部に嵌め合わせられた上蓋の外周縁部が、筒状胴部上端開口部に、シーラント層による熱融着により接合されていることを特徴とする、容器。
【請求項２】
バリア層が、金属箔、合成樹脂フィルム、金属箔と合成樹脂フィルムとの積層体、または金属もしくは無機酸化物の蒸着合成樹脂フィルムよりなるものであることを特徴とする、請求項１に記載の容器。
【請求項３】
強化樹脂層が、ナイロン、ポリエチレンテレフタレート、ポリカーボネート、またはポリスチレンよりなるものであることを特徴とする、請求項１または２に記載の容器。
【請求項４】
筒状胴部が、バリア層、バリア層の内外両側のうち少なくとも一方に設けられた強化樹脂層、およびシーラント層を備えた内面材と、紙製または合成樹脂製の外面材とで構成されていることを特徴とする、請求項１〜３のうちのいずれか一項に記載の容器。
【請求項５】
筒状胴部、筒状胴部の上端開口部に取り付けられる樹脂製上蓋、および上蓋の開口を密封するためのメンブラン片を備えている容器であって、筒状胴部が、バリア層と、バリア層の内外両側のうち少なくとも一方に設けられた強化樹脂層と、シーラント層とを備えており、メンブラン片が、バリア層と、バリア層の内外両側のうち少なくとも一方に設けられたシーラント層とを備えており、筒状胴部の上端開口部に嵌め合わせられた上蓋の外周縁部が、筒状胴部上端開口部に、筒状胴部の上端部のシーラント層および／またはメンブラン片外周縁部のシーラント層による熱融着により接合されていることを特徴とする、容器。
【発明の詳細な説明】
【技術分野】
【０００１】
本発明は、例えばシーリング材、接着剤、マヨネーズ、ケチャップ等の粘調体、あるいはまた清涼飲料水、シャンプー等の液体などの流動体を収納する容器に関するものである。
【０００２】
本発明の容器は、とりわけ、粘調体や液体などの内容物を充填する際、充填後の収納状態、あるいはまた内容物を押し出す際において、内圧がかかる容器であって、例えば押出し容器、流体吐出容器、粘調体収納容器、およびシーリングカートリッジ等の容器に適用されるものである。さらに、本発明の容器は、コーキング剤（シーリング材）または接着剤等の粘調体を収納包装する軟包装袋用の吐出装置（コーキングガン）においても使用されるものである。
【背景技術】
【０００３】
従来、例えばシーリング材等の粘調体などの流動体を収納する容器としては、筒状胴部および筒状胴部の上端開口部に取り付けられる樹脂製上蓋を備え、筒状胴部にはアルミニウム箔等のバリア層が設けられるとともに、筒状胴部の内面にプラスチックフィルム（シーラント層）が設けられていて、筒状胴部の上端開口部に嵌め合わせられた上蓋の外周縁部が、筒状胴部上端開口部に、シーラント層による熱融着により接合されたものが知られている（例えば、特許文献１参照）。
【先行技術文献】
【特許文献】
【０００４】
【特許文献１】実開昭６３−１８６６８８号公報
【発明の概要】
【発明が解決しようとする課題】
【０００５】
しかしながら、上記特許文献１に記載の従来の容器によれば、シーリング材等の内容物を容器に充填する際、あるいはまた容器から内容物を押し出す際に、容器に内圧がかかると、筒状胴部の上端開口部と上蓋の融着部分が外れてしまうという問題があった。その原因は、おそらく筒状胴部のアルミニウム箔のバリア層部分でシーラント層に剥離が生じて、引き裂かれるためと考えられる。
【０００６】
本発明の目的は、上記の従来技術の問題を解決し、例えばシーリング材等の粘調体などの流動体を収納する容器について、筒状胴部の上端開口部と上蓋との結合力が強く、充分な強度を有しており、容器に内圧がかかっても、筒状胴部の上端開口部と上蓋の融着部分が非常に外れにくい、容器を提供することにある。
【課題を解決するための手段】
【０００７】
本発明者は、上記の点に鑑み鋭意研究を重ねた結果、容器の筒状胴部のバリア層の内外両側のうち少なくとも一方に強化樹脂層を設けることにより、融着界面の破裂強度が高くなり、容器に内圧がかかっても、筒状胴部の上端開口部と上蓋の融着部分が外れにくくなることを見出し、本発明を完成するに至ったものである。
【０００８】
上記の目的を達成するために、請求項１の発明は、筒状胴部および筒状胴部の上端開口部に取り付けられる樹脂製上蓋を備えている容器であって、筒状胴部が、バリア層と、バリア層の内外両側のうち少なくとも一方に設けられた強化樹脂層と、シーラント層とを備えており、筒状胴部の上端開口部に嵌め合わせられた上蓋の外周縁部が、筒状胴部上端開口部に、シーラント層による熱融着により接合されていることを特徴としている。
【０００９】
上記において、バリア層は、金属箔、合成樹脂フィルム、金属箔と合成樹脂フィルムとの積層体、または金属もしくは無機酸化物の蒸着合成樹脂フィルムよりなるものであることが好ましい。
【００１０】
上記強化樹脂層は、ナイロン、ポリエチレンテレフタレート、ポリカーボネート、またはポリスチレンよりなるよりなるものであることが好ましい。
【００１１】
また筒状胴部は、バリア層、バリア層の内外両側のうち少なくとも一方に設けられた強化樹脂層、およびシーラント層を備えた内面材と、紙製または合成樹脂製の外面材とで構成されていることが好ましい。
【００１２】
また、請求項５の発明は、筒状胴部、筒状胴部の上端開口部に取り付けられる樹脂製上蓋、および上蓋の開口を密封するためのメンブラン片を備えている容器であって、筒状胴部が、バリア層と、バリア層の内外両側のうち少なくとも一方に設けられた強化樹脂層と、シーラント層とを備えており、メンブラン片が、バリア層と、バリア層の内外両側のうち少なくとも一方に設けられたシーラント層とを備えており、筒状胴部の上端開口部に嵌め合わせられた上蓋の外周縁部が、筒状胴部上端開口部に、筒状胴部の上端部のシーラント層および／またはメンブラン片外周縁部のシーラント層による熱融着により接合されていることを特徴としている。
【発明の効果】
【００１３】
請求項１の発明は、筒状胴部および筒状胴部の上端開口部に取り付けられる樹脂製上蓋を備えている容器であって、筒状胴部が、バリア層と、バリア層の内外両側のうち少なくとも一方に設けられた強化樹脂層と、シーラント層とを備えており、筒状胴部の上端開口部に嵌め合わせられた上蓋の外周縁部が、筒状胴部上端開口部に、シーラント層による熱融着により接合されているものであるから、請求項１の発明によれば、筒状胴部の上端開口部と上蓋との結合力が強く、充分な強度を有しており、シーリング材等の内容物を容器に充填する際、あるいはまた容器から内容物を押し出す際に、容器に内圧がかかっても、筒状胴部の上端開口部と上蓋の融着部分が非常に外れにくいという効果を奏する。
【００１４】
請求項５の発明は、筒状胴部、筒状胴部の上端開口部に取り付けられる樹脂製上蓋、および上蓋の開口を密封するためのメンブラン片を備えている容器であって、筒状胴部が、バリア層と、バリア層の内外両側のうち少なくとも一方に設けられた強化樹脂層と、シーラント層とを備えており、メンブラン片が、バリア層と、バリア層の内外両側のうち少なくとも一方に設けられたシーラント層とを備えており、筒状胴部の上端開口部に嵌め合わせられた上蓋の外周縁部が、筒状胴部上端開口部に、筒状胴部の上端部のシーラント層および／またはメンブラン片外周縁部のシーラント層による熱融着により接合されているものであるから、請求項５の発明によれば、筒状胴部の上端開口部と上蓋との結合力が強く、充分な強度を有しており、シーリング材等の内容物を容器に充填する際、あるいはまた容器から内容物を押し出す際に、容器に内圧がかかっても、筒状胴部の上端開口部と上蓋の融着部分が非常に外れにくいという効果を奏する。
【図面の簡単な説明】
【００１５】
【図１】本発明の容器の第１実施形態を示す縦断面図である。
【図２】図１の容器の要部拡大縦断面図である。
【図３】図１の容器の筒状胴部の内面材の層構成の詳細を示す部分拡大縦断面図である。
【図４】図３の筒状胴部の内面材の層構成の変形例を示す部分拡大縦断面図である。
【図５】本発明の容器の第２実施形態を示す縦断面図である。
【図６】本発明の容器の第３実施形態を示す縦断面図である。
【図７】本発明の容器の第４実施形態を示す縦断面図である。
【図８】本発明の容器の第５実施形態を示す縦断面図である。
【図９】本発明の容器の第６実施形態を示す縦断面図である。
【図１０】本発明の容器の第７実施形態を示す縦断面図である。
【図１１】本発明の容器の耐圧性テストの実施状態を示すブローオフテスターの概略断面図である。
【発明を実施するための形態】
【００１６】
つぎに、本発明の実施の形態を、図面を参照して説明するが、本発明はこれらに限定されるものではない。
【００１７】
図１は、本発明による容器の第１実施形態を示す縦断面図であり、図２は、図１の容器の要部拡大縦断面図、図３は、図１の容器の筒状胴部の内面材の層構成の詳細を示す部分拡大縦断面図である。
【００１８】
図１〜図３を参照すると、本発明による容器（１）は、例えばシーリング材を収納するカートリツジとして使用されるもので、筒状胴部（円筒胴）（２）と、筒状胴部（２）の上端開口部に取り付けられる樹脂製上蓋（３）とを備えている。さらに筒状胴部（２）の下端部には、可動板であるプランジャー（４）が備えられ、上蓋（３）の下面には、上蓋（３）の開口を密封するためのメンブラン片（５）が貼り付けられている。
【００１９】
本発明によるシーリング材収納用カートリツジ（１）は、筒状胴部（２）が内面材（内面紙）（２Ａ）と外面材（２Ｂ）とで構成されており（図２参照）、筒状胴部（２）の内面材（２Ａ）は、バリア層（１０）と、バリア層（１０）の内側に設けられた強化樹脂層（１３）と、シーラント層（１４）とを備えている。一方、筒状胴部（２）の外面材（２Ｂ）は、紙または合成樹脂によってつくられている。
【００２０】
本発明による容器（１）の第１実施形態においては、図３に詳しく示すように、筒状胴部（２）の内面材（２Ａ）は、厚さ５〜５０μｍ、好ましくは５〜４０μｍのアルミニウム箔等の金属箔よりなるバリア層（１０）を、厚さ５〜５０μｍ、好ましくは５〜３０μｍのポリエチレン等の熱可塑性樹脂製の接着層（接着フィルム層）（１１）（１２）で内外両側より挟みこんだサンドイッチ構造の積層体を具備している。そして、バリア層（１０）に積層された内側接着層（１１）の内側に、ナイロンよりなる厚さ５〜５０μｍ、好ましくは５〜２５μｍの強化樹脂層（強化樹脂フィルム層）（１３）が設けられ、さらに強化樹脂層（１３）の内側に、厚さ５〜５０μｍ、好ましくは５〜３０μｍのポリエチレン等の熱可塑性樹脂製の中間フィルム層（１６）を介して、厚さ５〜１００μｍ、好ましくは５〜５０μｍのシーラント層（１４）が設けられている。ここで、シーラント層（１４）としては、ポリエチレン、ポリプロピレン、アイオノマー、またはエチレン酢酸ビニル共重合体等の感熱接着性樹脂が好ましい。
【００２１】
本発明において、筒状胴部（２）の内面材（２Ａ）のバリア層（１０）に積層された外側接着層（１２）の外側には、筒状胴部（２）の外面材（２Ｂ）が紙製である場合には、クラフト紙製シートまたはグラシン紙製シートなどの薄い紙製の外層（１５）が設けられ、また筒状胴部（２）の外面材（２Ｂ）が合成樹脂製の管状体よりなるものである場合には、合成樹脂フィルムよりなる外層（１５）が設けられるか、または外層（１５）を省略することもできる。
【００２２】
また本発明において、筒状胴部（２）は、内面材（２Ａ）のみからなり、外面材（２Ｂ）を有しない場合もある。そして、この場合には、内面材（２Ａ）に合成樹脂フィルムよりなる外層（１５）が設けられるか、または外層（１５）を省略することもできる。
【００２３】
本発明において、筒状胴部（２）の上端開口部に嵌め合わせられた硬質ポリエチレン等の熱可塑性樹脂製の上蓋（３）の外周縁部が、筒状胴部（２）上端開口部の内面材（２Ａ）に、感熱接着性を有するポリエチレン等の熱可塑性樹脂製のシーラント層（１４）による熱融着により接合されている。
【００２４】
この第１実施形態においては、上蓋（３）の円板状平面部（３ａ）の中央部に開口（３ｂ）が設けられ、開口（３ｂ）の天面側の周囲には、開口（３ｂ）から続く中空部を備えた筒状突出部（３ｃ）が設けられ、筒状突出部（３ｃ）の外周部には雄ネジが形成されている。また上蓋（３）の円板状平面部（３ａ）には立ち上がり状外周縁部（３ｄ）が設けられている。
【００２５】
そして、筒状胴部（２）の上端開口部に嵌め合わせられた硬質ポリエチレン等の熱可塑性樹脂製の上蓋（３）の立ち上がり状外周縁部（３ｄ）の外周面と、筒状胴部（２）の内面材（２Ａ）内側のシーラント層（１４）の内周面が熱融着することにより、同じ材質であることから、隙間なく結合されている。
【００２６】
このように、本発明の容器（１）によれば、容器（１）の筒状胴部（２）の内面材（２Ａ）のバリア層（１０）の内側に強化樹脂層（１３）が設けられることにより、融着界面の破裂強度が高くなり、容器（１）に内圧がかかっても、筒状胴部（２）の上端開口部と上蓋（３）の融着部分が外れにくくなるものである。
【００２７】
その他、上蓋（３）の筒状突出部（３ｃ）には、開口内部に雌ネジを有する朝顔型のノズル（図示略）が螺合される。
【００２８】
一方、筒状胴部（２）の外面材（２Ｂ）としては、板紙等の紙管構成シートをスパイラル巻きした紙管を用いるが、平巻きとした紙管を用いることもできる。あるいはまた筒状胴部（２）の外面材（２Ｂ）としては、ポリエチレンやポリプロピレン製の合成樹脂製の管状体を用いることができる。
【００２９】
筒状胴部（２）の内面材（２Ａ）の外層（１５）と、筒状胴部（２）の外面材（２Ｂ）とは、通常、接着剤を介して接合される。
【００３０】
上蓋（３）の開口（３ｂ）を塞ぐためのメンブラン片（５）は、図示は省略したが、例えば厚さ５〜１００μｍ、好ましくは５〜６０μｍのアルミニウム箔よりなるバリア層の両面に、厚さ５〜８０μｍ、好ましくは５〜５０μｍの高密度ポリエチレン製のシーラント層が積層されて形成されている。そして、上蓋（３）の円板状平面部（３ａ）の下面と、メンブラン片（５）の上面のシーラント層とが、熱融着により接合されている。なお、図１に示す本発明による容器（１）の第１実施形態の場合は、メンブラン片（５）は、アルミニウム箔よりなるバリア層の片面（上面）に高密度ポリエチレン製のシーラント層が積層されて形成されておればよい。本発明による容器（１）においては、筒状胴部（２）の内面材（２Ａ）のバリア層（１０）およびメンブラン片（５）は、それぞれアルミニウム箔を有しているので、非常に高いガスバリア性を有している。
【００３１】
上記の実施の形態では、バリア層（１０）としてアルミニウム箔を用いたが、例えば銅箔等の他の金属箔を用いてもよい。またバリア層は、例えばポリプロピレン（ＰＰ）とエチレンビニルアルコール共重合体（ＥＶＯＨ）とポリプロピレン（ＰＰ）を共押出した「ＰＰ／ＥＶＯＨ／ＰＰ」の積層構成を有する多層シート等の合成樹脂フィルム、金属箔と合成樹脂フィルムとの積層体、またはアルミニウム等金属の蒸着合成樹脂フィルム、あるいはまたシリカ蒸着合成樹脂フィルム、アルミナ蒸着合成樹脂フィルム、シリカ／アルミナ蒸着合成樹脂フィルム等の無機酸化物蒸着合成フィルムなど、他の材料を用いて形成してもよい。
【００３２】
筒状胴部（２）下端部に嵌め込まれたプランジャー（４）は、有底円筒形状であり、プランジャー（４）の外径が筒状胴部（２）の内径に等しいか僅かに小さく形成されている。プランジャー（４）は、有底部の方が筒状胴部（２）の内部の方に向くように筒状胴部（２）の下方開口端に嵌め込まれる。可動板であるプランジャー（４）としては、例えばアルミニウムラミネートフィルムが貼り付けられた合成樹脂製のプランジャーを用いるのが好ましいが、金属製のプランジャーを用いることもできる。筒状胴部（２）とプランジャー（４）との間の隙間には、両者の摺動抵抗を下げるため、および容器の気密性を向上させるためにグリースが収められている。グリースとしては例えば、低分子量ポリエチレン（ポリエチレンワックス）を主成分とするものやポリブテンを主成分とするものなどがある。
【００３３】
図４は、本発明の第１実施形態における図２の筒状胴部（２）の内面材（２Ａ）の層構成の変形例を示す部分拡大縦断面図である。ここで、上記図２の筒状胴部（２）の内面材（２Ａ）の層構成と異なる点は、筒状胴部（２）の内面材（２Ａ）のバリア層（１０）の外側に、強化樹脂層（１３）が設けられている点にある。
【００３４】
この変形例においては、図４に詳しく示すように、筒状胴部（２）の内面材（２Ａ）のバリア層（１０）に積層された内側接着層（１１）の内側に、厚さ５〜１００μｍ、好ましくは５〜５０μｍのシーラント層（１４）が設けられ、一方、バリア層（１０）に積層された外側接着層（１２）の外側に、ナイロンよりなる厚さ５〜５０μｍ、好ましくは５〜２５μｍの強化樹脂層（１３）が設けられ、さらに強化樹脂層（１３）の外側に、厚さ５〜５０μｍ、好ましくは５〜３０μｍのポリエチレン等の熱可塑性樹脂製の中間フィルム層（１６）を介して紙製の外層（１５）が設けられている。
【００３５】
そして、筒状胴部（２）の上端開口部に嵌め合わせられた硬質ポリエチレン等の熱可塑性樹脂製の上蓋（３）の立ち上がり状外周縁部（３ｄ）の外周面と、筒状胴部（２）の上端部（２ａ）の内面材（２Ａ）内側のシーラント層（１４）の内周面が熱融着することにより、同じ材質であることから、隙間なく結合されている。
【００３６】
このように、本発明の容器（１）によれば、筒状胴部（２）の内面材（２Ａ）のバリア層（１０）の外側に強化樹脂層（１３）が設けられていても、融着界面の破裂強度が高くなり、容器（１）に内圧がかかっても、筒状胴部（２）の上端開口部と上蓋（３）の融着部分が外れにくくなるものである。
【００３７】
図５は、本発明の容器（１）の第２実施形態を示す縦断面図である。この実施形態２において、上記実施形態１の場合と異なる点は、メンブラン片（５）の外周縁部に、立ち上がり状外周縁部（５ａ）が設けられていて、このメンブラン片（５）の立ち上がり状外周縁部（５ａ）が、上蓋（３）の立ち上がり状外周縁部（３ｄ）と、筒状胴部（２）の上端部（２ａ）との間に介在させられている。
【００３８】
そして、筒状胴部（２）の上端開口部に嵌め合わせられた上蓋（３）の立ち上がり状外周縁部（３ｄ）が、筒状胴部（２）の上端部（２ａ）に、筒状胴部上端部（２ａ）の内面材（２Ａ）のシーラント層（１４）、およびメンブラン片（５）の立ち上がり状外周縁部（５ａ）のシーラント層による熱融着により、一体に接合されている。ここで、メンブラン片（５）は、上記のように、例えば数十μｍのアルミニウム箔の両面に、数十μｍの感熱接着性を有する高密度ポリエチレンが積層されて形成されているため、このような一体的熱融着が可能である。
【００３９】
図６は、本発明の容器（１）の第３実施形態を示す縦断面図である。この実施形態３において、上記実施形態２の場合と異なる点は、メンブラン片（５）の立ち上がり状外周縁部（５ａ）が上蓋（３）の立ち上がり状外周縁部（３ｄ）の約半分の高さ位置まで延びている点にある。
【００４０】
図７は、本発明の容器（１）の第４実施形態を示す縦断面図である。この実施形態４において、上記実施形態２の場合と異なる点は、筒状胴部（２）の上端部（２ａ）に、横断面倒Ｌ字形の内側折返し部（２ｂ）が設けられ、筒状胴部（２）の上端部（２ａ）と、これに連なる内側折返し部（２ｂ）とが、メンブラン片（５）の立ち上がり状外周縁部（５ａ）および上蓋（３）の立ち上がり状外周縁部（３ｄ）を上から覆っている点にある。
【００４１】
そして、筒状胴部（２）の上端開口部に嵌め合わせられた上蓋（３）の立ち上がり状外周縁部（３ｄ）が、筒状胴部（２）の上端開口部に、筒状胴部上端部（２ａ）とこれに連なる内側折返し部（２ｂ）の内面材（２Ａ）のシーラント層（１４）、およびメンブラン片（５）の立ち上がり状外周縁部（５ａ）のシーラント層による熱融着により、一体に接合されている。
【００４２】
なお、本発明の容器（１）の第４実施形態においては、場合によっては、メンブラン片（５）の外周縁部に、立ち上がり状外周縁部（５ａ）が設けられることなく、図１に示す本発明の第１実施形態のように、メンブラン片（５）が上蓋（３）の円板状平面部（３ａ）の下面全面に貼り付けられていてもよい。
【００４３】
図８は、本発明の容器（１）の第５実施形態を示す縦断面図である。この実施形態５において、上記実施形態２の場合と異なる点は、上蓋（３）の立ち上がり状外周縁部（３ｄ）の上端部に、横断面倒Ｌ字形の外側折返し部（３ｅ）が設けられ、この外側折返し部（３ｅ）が筒状胴部（２）の上端部（２ａ）とメンブラン片（５）の立ち上がり部（５ａ）とを、上から覆っている点にある。
【００４４】
そして、筒状胴部（２）の上端開口部に嵌め合わせられた上蓋（３）の立ち上がり状外周縁部（３ｄ）が、筒状胴部（２）の上端部（２ａ）に、該上端部（２ａ）の内面材（２Ａ）のシーラント層（１４）、およびメンブラン片（５）の立ち上がり状外周縁部（５ａ）のシーラント層による熱融着により、一体に接合されている。
【００４５】
なお、上蓋（３）の立ち上がり状外周縁部（３ｄ）の上端部に設けられた横断面倒Ｌ字形の外側折返し部（３ｅ）は、筒状胴部（２）の上端部（２ａ）の外面材（２Ｂ）の外周面に設けられたシーラント層（図示略）との熱融着により、接合されていてもよいし、場合によっては、接合されていなくてもよい。
【００４６】
また、本発明の容器（１）の第５実施形態において、場合によっては、メンブラン片（５）の外周縁部に、立ち上がり状外周縁部（５ａ）が設けられることなく、図１に示す本発明の第１実施形態のように、メンブラン片（５）が上蓋（３）の円板状平面部（３ａ）の下面全面に貼り付けられていてもよい。
【００４７】
図９は、本発明の容器（１）の第６実施形態を示す縦断面図である。この実施形態６において、上記実施形態１の場合と異なる点は、筒状胴部（２）が内面材（２Ａ）のみからなる点、および上蓋（３）の円板状平面部（３ａ）には垂下状外周縁部（３ｆ）が設けられ、この垂下状外周縁部（３ｆ）が筒状胴部（２）の上端部（２ａ）の外側に嵌め被せられていて、上蓋（３）の垂下状外周縁部（３ｆ）の内面と、筒状胴部（２）の上端部（２ａ）の外面とが接触せしめられている点にある。この第６実施形態においては、筒状胴部（２）の上端部（２ａ）の内面材（２Ａ）の外周面にシーラント層（図示略）が設けられており、上蓋（３）の垂下状外周縁部（３ｆ）は、このシーラント層との熱融着により、筒状胴部（２）の上端部（２ａ）に接合されている。なお、図９に示す本発明による容器（１）の第６実施形態の場合は、メンブラン片（５）は、アルミニウム箔よりなるバリア層の少なくとも片面（上面）に高密度ポリエチレン製のシーラント層が積層されて形成されておればよい。
【００４８】
図１０は、本発明の容器（１）（１）の第７実施形態を示す縦断面図である。この実施形態７において、上記実施形態１の場合と異なる点は、メンブラン片（５）の外周縁部に垂下状外周縁部（５ｂ）が設けられていて、このメンブラン片（５）の垂下状外周縁部（５ｂ）が、筒状胴部（２）の上端部（２ａ）の内周面に当接せしめられ、一方、上蓋（３）の円板状平面部（３ａ）には垂下状外周縁部（３ｆ）が設けられ、この垂下状外周縁部（３ｆ）が筒状胴部（２）の上端部（２ａ）の外側に嵌め被せられていて、上蓋（３）の垂下状外周縁部（３ｆ）の内面と、筒状胴部（２）の上端部（２ａ）の外面とが接触せしめられている点にある。
【００４９】
そして、上蓋（３）の円板状平面部（３ａ）の下面の略全面が、メンブラン片（５）の上面のシーラント層とに熱融着により接合されているとともに、メンブラン片（５）の垂下状外周縁部（５ｂ）のシーラント層と、筒状胴部上端部（２ａ）の内面材（２Ａ）内側のシーラント層（１４）とが、熱融着により接合されている。従ってこの場合、上蓋（３）の垂下状外周縁部（３ｆ）は、筒状胴部（２）の上端部（２ａ）の外側に嵌め被せられるだけで、接合されていなくてもよい。
【００５０】
なお、図１０に示す本発明による容器（１）の第７実施形態の場合は、メンブラン片（５）は、アルミニウム箔よりなるバリア層の少なくとも片面（上面）に高密度ポリエチレン製のシーラント層が積層されて形成されておればよい。
【００５１】
本発明の上記第２実施形態〜第７実施形態において、その他の点は、上記本発明の第１実施形態の場合と同様であるので、図５〜図１０において、図１と同一のものには、同一の符号を付した。
【００５２】
本発明は、上記のようなシーリング材収納用カートリツジ（１）の他に、接着剤、マヨネーズ、ケチャップ等の粘調体、あるいはまた清涼飲料水、シャンプー等の液体などの流動体を収納する容器にも適用されるものである。
【００５３】
なお、マヨネーズ等の粘調体収納容器としては、例えば特公平７−９４２６６号公報および特開２００３−４０３６０号公報に記載されているような筒状胴部の一端部に取り付けられた樹脂ヘッド（上蓋）が平坦な形状を有し、このヘッドに小径孔が数個設けられたものが知られており、このような容器についても、本発明を適用することができるものである。
【実施例】
【００５４】
つぎに、本発明の実施例を比較例と共に説明するが、本発明は、これらの実施例に限定されるものではない。
【００５５】
（実施例１）
図１〜図３に示す本発明の第１実施形態による容器（１）を製作した。本発明による容器（１）はシーリング材を収納するカートリツジとして使用されるもので、筒状胴部（２）と、筒状胴部（２）の上端開口部に取り付けられる硬質ポリエチレン製の上蓋（３）とを備え、さらに筒状胴部（２）の下端部にはプランジャー（４）が備えられ、上蓋（３）の下面には、上蓋（３）の開口を密封するためのメンブラン片（５）が貼り付けられている。
【００５６】
本発明によるシーリング材収納用カートリツジ（１）は、筒状胴部（２）が内面材（内面紙）（２Ａ）と外面材（２Ｂ）とで構成されている。ここで、筒状胴部（２）の内面材（２Ａ）は、厚さ４０μｍのアルミニウム箔よりなるバリア層（１０）を、厚さ４０μｍのポリエチレン製接着層（１１）（１２）で内外両側より挟みこんだサンドイッチ構造の積層体を具備している。そして、バリア層（１０）に積層された内側接着層（１１）の内側に、ナイロンよりなる厚さ１５μｍの強化樹脂層（１３）が設けられ、この強化樹脂層（１３）の内側に、厚さ１５μｍのポリエチレン製の中間フィルム層（１６）を介して厚さ４０μｍの高密度ポリエチレン（ＨＤＰＥ）よりなるシーラント層（１４）が設けられ、さらにバリア層（１０）に積層された外側接着層（１２）の外側に、クラフト紙製シート（秤量４１．７ｇ／ｍ２）よりなる外層（１５）が設けられている。
【００５７】
一方、筒状胴部（２）の外面材（２Ｂ）としては、板紙よりなる紙管構成シートをスパイラル巻きした紙管が用いられている。
【００５８】
また硬質ポリエチレン製の上蓋（３）の円板状平面部（３ａ）の中央部に開口（３ｂ）が設けられ、開口（３ｂ）の天面側の周囲には、開口（３ｂ）から続く中空部を備えた筒状突出部（３ｃ）が設けられ、筒状突出部（３ｃ）の外周部には雄ネジが形成されている。また円板状平面部（３ａ）には立ち上がり状外周縁部（３ｄ）が設けられている。
【００５９】
なお、上蓋（３）の開口（３ｂ）を塞ぐためのメンブラン片（５）は、厚さ４０μｍのアルミニウム箔の両面に、厚さ４０μｍの高密度ポリエチレンが積層されて形成されている。
【００６０】
そして、筒状胴部（２）の上端開口部に嵌め合わせられた硬質ポリエチレン製の上蓋（３）の立ち上がり状外周縁部（３ｄ）の外周面と、筒状胴部（２）の上端部（２ａ）の内面材（２Ａ）内側の高密度ポリエチレン（ＨＤＰＥ）よりなるシーラント層（１４）の内周面とが熱融着することにより結合されている。
【００６１】
（実施例２）
上記実施例１の場合と同様に、本発明の第１実施形態による容器（１）を製作するが、この実施例２において、上記実施例１の場合と異なる点は、図４の変形例に示される筒状胴部（２）の層構成を用いて行なった点にある。すなわち、この実施例２のシーリング材収納用カートリツジ（１）は、の筒状胴部（２）のバリア層（１０）の外側に、強化樹脂層（１３）が設けられている点にある。
【００６２】
この実施例２においては、図４に詳しく示すように、筒状胴部（２）の内面材（２Ａ）は、厚さ４０μｍのアルミニウム箔よりなるバリア層（１０）を、厚さ４０μｍのポリエチレン製接着層（１１）（１２）で内外両側より挟みこんだサンドイッチ構造の積層体を具備している。そして、バリア層（１０）に積層された内側接着層（１１）の内側に厚さ４０μｍの高密度ポリエチレン（ＨＤＰＥ）よりなるシーラント層（１４）が設けられ、一方、バリア層（１０）に積層された外側接着層（１２）の外側に、ナイロンよりなる厚さ１５μｍの強化樹脂層（１３）が設けられ、さらに強化樹脂層（１３）の外側に、厚さ２０μｍのポリエチレン製の中間フィルム層（１６）を介してグラシン紙製シート（秤量３０．５ｇ／ｍ２）よりなる外層（１５）が設けられている。筒状胴部（２）の外面材（２Ｂ）としては、板紙よりなる紙管構成シートをスパイラル巻きした紙管が用いられている。
【００６３】
そして、筒状胴部（２）の上端開口部に嵌め合わせられた硬質ポリエチレン製の上蓋（３）の立ち上がり状外周縁部（３ｄ）の外周面と、筒状胴部（２）の上端部（２ａ）の内面材（２Ａ）内側の高密度ポリエチレン（ＨＤＰＥ）よりなるシーラント層（１４）の内周面とが熱融着することにより結合されている。
【００６４】
（比較例１）
比較のために、図１に示す容器（１）を製作するが、この比較例１において、上記実施例１の場合と異なる点は、シーリング材収納用カートリツジ（１）の筒状胴部（２）に、ナイロンよりなる強化樹脂層が設けられていない点にある。すなわち、比較例１のシーリング材収納用カートリツジ（１）の筒状胴部（２）の内面材（２Ａ）は、厚さ４０μｍのアルミニウム箔よりなるバリア層（１０）を、厚さ４０μｍのポリエチレン製接着層（１１）（１２）で内外両側より挟みこんだサンドイッチ構造の積層体を具備している。そして、バリア層（１０）に積層された内側接着層（１１）の内側に、厚さ４０μｍの高密度ポリエチレン（ＨＤＰＥ）よりなるシーラント層（１４）が設けられ、さらにバリア層（１０）に積層された外側接着層（１２）の外側に、グラシン紙製シート（秤量３０．５ｇ／ｍ２）よりなる外層（１５）が設けられている。一方、筒状胴部（２）の外面材（２Ｂ）としては、板紙よりなる紙管構成シートをスパイラル巻きした紙管が用いられている。
【００６５】
そして、筒状胴部（２）の上端開口部に嵌め合わせられた硬質ポリエチレン製の上蓋（３）の立ち上がり状外周縁部（３ｄ）の外周面と、筒状胴部（２）の上端部（２ａ）の内面材（２Ａ）内側の高密度ポリエチレン（ＨＤＰＥ）よりなるシーラント層（１４）の内周面とが熱融着することにより結合されている。
【００６６】
（比較例２）
比較のために、上記比較例１の場合と同様に、シーリング材収納用カートリツジ（１）の筒状胴部（２）に、ナイロンよりなる強化樹脂層が設けられていない容器（１）を製作する。すなわち、比較例２のシーリング材収納用カートリツジ（１）の筒状胴部（２）の内面材（２Ａ）は、厚さ４０μｍのアルミニウム箔よりなるバリア層（１０）を、厚さ４０μｍのポリエチレン製接着層（１１）（１２）で内外両側より挟みこんだサンドイッチ構造の積層体を具備している。そして、バリア層（１０）に積層された内側接着層（１１）の内側に、厚さ２０μｍのポリプロピレン樹脂無延伸フィルム（ＣＰＰ）よりなるシーラント層（１４）が設けられ、さらにバリア層（１０）に積層された外側接着層（１２）の外側に、グラシン紙製シート（秤量３０．５ｇ／ｍ２）よりなる外層（１５）が設けられている。一方、筒状胴部（２）の外面材（２Ｂ）としては、板紙よりなる紙管構成シートをスパイラル巻きした紙管が用いられている。
【００６７】
そして、筒状胴部（２）の上端開口部に嵌め合わせられた硬質ポリエチレン製の上蓋（３）の立ち上がり状外周縁部（３ｄ）の外周面と、筒状胴部（２）の上端部（２ａ）の内面材（２Ａ）内側の高密度ポリエチレン（ＨＤＰＥ）よりなるシーラント層（１４）の内周面とが熱融着することにより結合されている。
【００６８】
（容器の耐圧性テスト）
つぎに、本発明の実施例１と２、および比較例１と２で得られたシーリング材収納用カートリツジ（１）を、図１１に示すブローオフテスター（２０）を用いて、それぞれ耐圧性テストを実施した。
【００６９】
同図において、ブローオフテスター（２０）は、シーリング材収納用カートリツジ（１）を着脱自在に装着するヘッダ部（２１）と、これの空気導入口（２２）に連通するように一端部が取り付けられた加圧空気導入用パイプ（２３）を備え、加圧空気導入用パイプ（２３）の途上に圧力ゲージ（２４）が装備されるとともに、該パイプ（２４）の他端部はコンプレッサー（２５）に接続されている。
【００７０】
そして、本発明の実施例１と２、および比較例１と２で得られたシーリング材収納用カートリツジ（１）の下端部を、それぞれプランジャー（４）を取り外した状態で、ブローオフテスター（２０）のヘッダ部（２１）に取り付けて固定し、コンプレッサー（２５）より加圧空気導入用パイプ（２３）を通じてカートリツジ（１）内に加圧空気を順次導入していき、ヘッダ部（２１）に取り付けられたカートリツジ（１）の上蓋（３）が外れたときの圧力を測定した。
【００７１】
その結果、本発明の実施例１と２のシーリング材収納用カートリツジ（１）によれば、ブローオフテスター（２０）の圧力ゲージ（２４）が５９０ｋＰａを超えても、ヘッダ部（２１）に取り付けられたカートリツジ（１）の上蓋（３）は外れなかった。一般に、シーリング材等の内容物を容器（１）に充填する際、あるいはまた容器（１）から内容物を押し出す際の容器の内圧は、３９２ｋＰａ程度であると考えられることから、本発明の実施例１と２のシーリング材収納用カートリツジ（１）は、充分に実用に耐え得るものであった。
【００７２】
また、本発明による実施例２のシーリング材収納用カートリツジ（１）によれば、ブローオフテスター（２０）の圧力ゲージ（２４）が４９０ｋＰａのときに、ヘッダ部（２１）に取り付けられたカートリツジ（１）の上蓋（３）が外れたが、上記のように、シーリング材等の内容物を容器（１）に充填する際、あるいはまた容器（１）から内容物を押し出す際の容器の内圧は、３９２ｋＰａ程度であると考えられることから、本発明による実施例２のシーリング材収納用カートリツジ（１）は、実用に耐え得るものであった。
【００７３】
このように、本発明のシーリング材収納用カートリツジ（１）によれば、カートリツジ（１）の筒状胴部（２）のバリア層（１０）の内側に強化樹脂層（１３）が設けられることにより、融着界面の破裂強度が高くなり、カートリツジ（１）に内圧がかかっても、筒状胴部（２）の上端開口部と上蓋（３）の融着部分が外れにくくなることが確認された。
【００７４】
これに対し、比較例１と２のシーリング材収納用カートリツジ（１）によれば、ブローオフテスター（２０）の圧力ゲージ（２４）が、９８ｋＰａ以下のときに、ヘッダ部（２１）に取り付けられたカートリツジ（１）の上蓋（３）がそれぞれ外れてしまい、上記のように、シーリング材等の内容物を容器（１）に充填する際、あるいはまた容器（１）から内容物を押し出す際の容器の内圧は、３９２ｋＰａ程度であると考えられることから、比較例１と２シーリング材収納用カートリツジ（１）は、実用に耐えることができないものであった。
【符号の説明】
【００７５】
１：シーリング材収納用カートリツジ（容器）
２：筒状胴部
２ａ：上端部
２Ａ：内面材
２Ｂ：外面材
３：上蓋
３ａ：円板状平面部
３ｂ：開口
３ｃ：筒状突出部
３ｄ：立ち上がり状外周縁部
３ｅ：横断面倒Ｌ字形の外側折返し部
３ｆ：垂下状外周縁部
４：プランジャー
５：メンブラン片
５ａ：立ち上がり状外周縁部
５ｂ：垂下状外周縁部
１０：バリア層（アルミニウム箔）
１１：内側接着層
１２：外側接着層
１３：強化樹脂層
１４：シーラント層
１５：外層
１６：中間フィルム層
２０：ブローオフテスター
２１：ヘッダ部
２２：空気導入口
２３：加圧空気導入用パイプ
２４：圧力ゲージ
２５：コンプレッサー
【図１】
2015174690.tif 000003
【図２】
2015174690.tif 000004
【図３】
2015174690.tif 000005
【図４】
2015174690.tif 000006
【図５】
2015174690.tif 000007
【図６】
2015174690.tif 000008
【図７】
2015174690.tif 000009
【図８】
2015174690.tif 000010
【図９】
2015174690.tif 000011
【図１０】
2015174690.tif 000012
【図１１】
2015174690.tif 000013